(57)【要約】      （修正有）【課題】本発明の課題は、電装品ボックス等の電装部へのアクセス時などにおける、パネルの取り外し作業を容易にした冷凍装置の室外ユニットを提供することにある。【解決手段】室外ユニット１では、前板２４が第１パネル２４ａと第２パネル２４ｂとに分割されているので、初期設定あるいはメンテナンスを行うサービスパーソンが電装品ボックスにアクセスする際に、第２パネル２４ｂがケーシング２の当初位置に取り付けられた状態のまま、ケーシング２から第１パネル２４ａだけを取り外すことができる。その結果、第１パネル２４ａが取り外された状態のみで、電装品ボックスにアクセスすることができる。【選択図】図２
2019027698.tif 000002
【特許請求の範囲】
【請求項１】
熱交換器を通過する空気の流れを生成し上向きに空気を吹き出すファン（５）と、
電装品群を収納する電装部（６）と、
前記電装部（６）に対向する所定位置に配置されるパネル（２４）を有するケーシング（２）と、
を備え、
前記パネル（２４）は、正面視で左右方向に、少なくとも第１パネル（２４ａ）と第２パネル（２４ｂ）とに分割され、
前記第１パネル（２４ａ）は、前記電装部（６）の少なくとも一部と対向し、
さらに前記第１パネル（２４ａ）は、前記第２パネル（２４ｂ）が前記ケーシング（２）に取り付けられた状態のまま着脱可能に取り付けられている、
冷凍装置の室外ユニット。
【請求項２】
前記第１パネル（２４ａ）の少なくとも一部の横幅は、前記第１パネル（２４ａ）側から視た前記電装部（６）の横幅以上である、
請求項１に記載の冷凍装置の室外ユニット。
【請求項３】
前記第１パネル（２４ａ）は、高さ位置および横幅が異なる第１領域と第２領域とを有し、
前記第１領域は前記第２領域より上方に位置し、前記第１領域における横幅は前記第２領域における横幅よりも大きい、
請求項１又は請求項２に記載の冷凍装置の室外ユニット。
【請求項４】
前記第１パネル（２４ａ）は、正面視において、高さ位置が低くなるほど横幅を狭くさせる傾斜部（２４１）を有する、
請求項１から請求項３のいずれか１項に記載の冷凍装置の室外ユニット。
【請求項５】
前記第１パネル（２４ａ）の少なくとも一部は、前記第２パネル（２４ｂ）と重なっている、
請求項１から請求項４のいずれか１項に記載の冷凍装置の室外ユニット。
【請求項６】
前記第１パネル（２４ａ）は、鉛直下方あるいは斜め下方を向く平面部（２４１ａ）を有する、
請求項１から請求項５のいずれか１項に記載の冷凍装置の室外ユニット。
【請求項７】
前記ケーシング（２）は、少なくとも一つの隅に配置される支柱（５１）をさらに有し、
正面視において、前記第１パネル（２４ａ）の端が前記支柱（５１）の外郭面（５１ｃ）と同一面上に位置し、又は前記外郭面（５１ｃ）よりも横側に出ている、
請求項１から請求項６のいずれか１項に記載の冷凍装置の室外ユニット。
【請求項８】
前記ケーシング（２）は、少なくとも一つの隅に配置される支柱（５１）をさらに有し、
前記第１パネル（２４ａ）の端が、前記支柱（５１）の角と所定の隙間をあけて対向している、
請求項１から請求項７のいずれか１項に記載の冷凍装置の室外ユニット。
【請求項９】
前記第１パネル（２４ａ）は、奥行き方向に延びる側端部（２４７）を有する、
請求項１から請求項８のいずれか１項に記載の冷凍装置の室外ユニット。
【請求項１０】
前記第１パネル（２４ａ）は、前記ケーシング（２）に引っ掛かる引っ掛け部（２０１）を有する、
請求項１から請求項９のいずれか１項に記載の冷凍装置の室外ユニット。
【請求項１１】
前記第１パネル（２４ａ）を含む複数のパネルそれぞれが、前記ケーシング（２）に引っ掛かる引っ掛け部（２０１，２０２）を有し、
前記パネルごとに前記引っ掛け部（２０１，２０２）の配置が異なる、
請求項１から請求項９のいずれか１項に記載の冷凍装置の室外ユニット。
【発明の詳細な説明】
【技術分野】
【０００１】
本発明は、冷凍装置の室外ユニット、特に、空気を天面から上方に吹き出す室外ユニットに関する。
【背景技術】
【０００２】
冷凍装置における空気上吹きタイプの室外ユニットであって、具体的には、特許文献１（特開２００７―２６３３８６号公報）に記載されているような空気調和装置の室外ユニットでは、据付け後の初期設定時やメンテンナス時など電装品ボックスにアクセスする際に、作業者は、電装品ボックスに対向する位置でケーシングにネジ止めされているパネルを取り外して、メンテナンス作業等を行っている。
【発明の概要】
【発明が解決しようとする課題】
【０００３】
しかしながら、上記のようなパネルは、幅広で重い上に、両端がケーシングの支柱に囲まれているため、パネルの取り外しが容易ではなく、作業負荷も少なくなかった。
【０００４】
本発明の課題は、電装品ボックス等の電装部へのアクセス時などにおける、パネルの取り外し作業を容易にした冷凍装置の室外ユニットを提供することにある。
【課題を解決するための手段】
【０００５】
本発明の第１観点に係る冷凍装置の室外ユニットは、ファンと、電装部と、ケーシングとを備えている。ファンは、熱交換器を通過する空気の流れを生成し上向きに空気を吹き出す。電装部は、電装品群を収納する。ケーシングはパネルを有し、当該パネルは電装部に対向する所定位置に配置される。また、パネルは、正面視で左右方向に、少なくとも第１パネルと第２パネルとに分割されている。第１パネルは、電装部の少なくとも一部と対向し、さらに第１パネルは第２パネルがケーシングに取り付けられた状態のまま着脱可能に取り付けられている。
【０００６】
この室外ユニットでは、パネルが第１パネルと第２パネルとに分割されているので、初期設定あるいはメンテナンスを行う作業者が電装部にアクセスする際に、第２パネルがケーシングの当初位置に取り付けられた状態のまま、ケーシングから第１パネルだけを取り外すことができる。その結果、第１パネルが取り外された状態のみで、電装部にアクセスすることができる。また、従来は複数枚のパネルを取り外す構成であったため、各パネルの重量は軽減されていたが総重量は増大しており、パネル単品数量も増加していたので、複雑な取り外し方法を余儀なくされていた。しかし、この室外ユニットでは、そのような複雑な取り外し方法は必要なく、作業時間が短縮され、作業効率が向上する。
【０００７】
本発明の第２観点に係る冷凍装置の室外ユニットは、第１観点に係る冷凍装置の室外ユニットであって、第１パネルの少なくとも一部の横幅が、第１パネル側から視た電装部の横幅以上である。
【０００８】
この室外ユニットでは、第１パネルをケーシングから取り外すだけで、電装部にアクセスすることができるので、据付後の初期設定時、メンテンナス時の作業性が向上する。
【０００９】
本発明の第３観点に係る冷凍装置の室外ユニットは、第１観点又は第２観点に係る冷凍装置の室外ユニットであって、第１パネルが、高さ位置および横幅が異なる第１領域と第２領域とを有している。第１領域は第２領域より上方に位置し、第１領域における横幅は第２領域における横幅よりも大きい。
【００１０】
この室外ユニットでは、幅広の第１領域から幅狭の第２領域へ移行する箇所で、下向きの面又は傾斜面が形成されるので、その面が第１パネルを持ち上げる際の取っ手として機能する。
【００１１】
本発明の第４観点に係る冷凍装置の室外ユニットは、第１観点から第３観点のいずれか１つに係る冷凍装置の室外ユニットであって、第１パネルが、正面視において、高さ位置が低くなるほど横幅を狭くさせる傾斜部を有している。
【００１２】
この室外ユニットでは、斜め下方を向く傾斜部が存在するので、作業者がケーシングから第１パネルを取り外す際に、傾斜部に指を掛けて持ち上げることができ、作業性がよくなる。
【００１３】
本発明の第５観点に係る冷凍装置の室外ユニットは、第１観点から第４観点のいずれか１つに係る冷凍装置の室外ユニットであって、第１パネルの少なくとも一部が、第２パネルと重なっている。
【００１４】
この室外ユニットでは、作業者がケーシングから第１パネルを取り外す際に、第１パネルと第２パネルとが重なっている部分を掴むよりも、第１パネルと第２パネルとの重なっていない部分の隙間に、指を差し入れる方が持ち上げ易い。具体的には、第１パネルと第２パネルとが「重なっている部分」と「重なっていない部分」とを含む凹部を形成し、作業者は、その凹部のうちの当該「重なっていない部分」に指を差し入れることで、凹部の一部を手で掴むことができる。その結果、作業性が良くなる。
【００１５】
本発明の第６観点に係る冷凍装置の室外ユニットは、第１観点から第５観点のいずれか１つに係る冷凍装置の室外ユニットであって、第１パネルが、鉛直下方あるいは斜め下方を向く平面部を有している。
【００１６】
この室外ユニットでは、作業者がケーシングから第１パネルを取り外す際に、鉛直下方あるいは斜め下方を向く平面部に指を掛けて持ち上げることができるので、作業性がよい。
【００１７】
本発明の第７観点に係る冷凍装置の室外ユニットは、第１観点から第６観点のいずれか１つに係る冷凍装置の室外ユニットであって、ケーシングが、少なくとも一つの隅に配置される支柱をさらに有している。当該ケーシングの正面視において、第１パネルの端が支柱の外郭面と同一面上に位置し、又は当該外郭面よりも横側に出ている。
【００１８】
従来品では、パネルの端が支柱に囲まれる形状であったので、作業者がパネルの端を掴むことができず、指の腹で引き出すしかなく、ケーシングからのパネルの取り外しが容易ではなかった。
【００１９】
この室外ユニットでは、今回、第１パネルの端が支柱の外郭面と同一面上に位置し、又は当該外郭面よりも横側に出ていることによって、作業者がパネルの端を掴むことができるようになり、ケーシングからのパネルの取り外しが容易になる。
【００２０】
本発明の第８観点に係る冷凍装置の室外ユニットは、第１観点から第７観点のいずれか１つに係る冷凍装置の室外ユニットであって、ケーシングが、少なくとも一つの隅に配置される支柱をさらに有している。第１パネルの端は、支柱の角と所定の隙間をあけて対向している。
【００２１】
この室外ユニットでは、第１パネルをケーシングから取り外す際に、第１パネルの端に指を掛けるための空間が確保されるので、作業者が第１パネルを掴みやすくなる。
【００２２】
本発明の第９観点に係る冷凍装置の室外ユニットは、第１観点から第８観点のいずれか１つに係る冷凍装置の室外ユニットであって、第１パネルが、奥行き方向に延びる側端部を有している。
【００２３】
この室外ユニットでは、作業者がケーシングから第１パネルを取り外す際に、側端部に指を掛けて第１パネルを持ち上げることができるので、作業性がよい。
【００２４】
本発明の第１０観点に係る冷凍装置の室外ユニットは、第１観点から第９観点のいずれか１つに係る冷凍装置の室外ユニットであって、第１パネルが、ケーシングに引っ掛かる引っ掛け部を有している。
【００２５】
この室外ユニットでは、引っ掛け部が第１パネルの位置決めとして機能するので、誤組みが防止される。
【００２６】
本発明の第１１観点に係る冷凍装置の室外ユニットは、第１観点から第９観点のいずれか１つに係る冷凍装置の室外ユニットであって、第１パネルを含む複数のパネルそれぞれが、ケーシングに引っ掛かる引っ掛け部を有している。また、パネルごとに引っ掛け部の配置が異なる。
【００２７】
この室外ユニットでは、異なるパネルであっても、形状が類似する場合に誤組みの虞があるので、組み込み時の位置決めとなる引っ掛け部の配置、例えば間隔を異ならせて、誤組みを防止する。
【発明の効果】
【００２８】
本発明の第１観点に係る冷凍装置の室外ユニットでは、パネルが第１パネルと第２パネルとに分割されているので、初期設定あるいはメンテナンスを行う作業者が電装部にアクセスする際に、第２パネルがケーシングの当初位置に取り付けられた状態のまま、ケーシングから第１パネルだけを取り外すことができる。その結果、第１パネルが取り外された状態のみで、電装部にアクセスすることができる。また、従来は複数枚のパネルを取り外す構成であったため、各パネルの重量は軽減されていたが総重量は増大しており、パネル単品数量も増加していたので、複雑な取り外し方法を余儀なくされていた。しかし、この室外ユニットでは、そのような複雑な取り外し方法は必要なく、作業時間が短縮され、作業効率が向上する。
【００２９】
本発明の第２観点に係る冷凍装置の室外ユニットでは、第１パネルをケーシングから取り外すだけで、電装部にアクセスすることができるので、据付後の初期設定時、メンテンナス時の作業性が向上する。
【００３０】
本発明の第３観点に係る冷凍装置の室外ユニットでは、幅広の第１領域から幅狭の第２領域へ移行する箇所で、下向きの面又は傾斜面が形成されるので、その面が第１パネルを持ち上げる際の取っ手として機能する。
【００３１】
本発明の第４観点に係る冷凍装置の室外ユニットでは、斜め下方を向く傾斜部が存在するので、作業者がケーシングから第１パネルを取り外す際に、傾斜部に指を掛けて持ち上げることができ、作業性がよくなる。
【００３２】
本発明の第５観点に係る冷凍装置の室外ユニットでは、作業者がケーシングから第１パネルを取り外す際に、第１パネルと第２パネルとが重なっている部分を掴むよりも、第１パネルと第２パネルとの重なっていない部分の隙間に、指を差し入れる方が持ち上げ易い。具体的には、第１パネルと第２パネルとが「重なっている部分」と「重なっていない部分」とを含む凹部を形成し、作業者は、その凹部のうちの当該「重なっていない部分」に指を差し入れることで、凹部の一部を手で掴むことができる。その結果、作業性が良くなる。
【００３３】
本発明の第６観点に係る冷凍装置の室外ユニットでは、作業者がケーシングから第１パネルを取り外す際に、鉛直下方あるいは斜め下方を向く平面部に指を掛けて持ち上げることができるので、作業性がよい。
【００３４】
本発明の第７観点に係る冷凍装置の室外ユニットでは、第１パネルの端が支柱の外郭面と同一面上に位置し、又は当該外郭面よりも横側に出ていることによって、作業者がパネルの端を掴むことができるようになり、ケーシングからのパネルの取り外しが容易になる。
【００３５】
本発明の第８観点に係る冷凍装置の室外ユニットでは、第１パネルをケーシングから取り外す際に、第１パネルの端に指を掛ける空間が確保されるので、作業者が第１パネルを掴みやすくなる。
【００３６】
本発明の第９観点に係る冷凍装置の室外ユニットでは、作業者がケーシングから第１パネルを取り外す際に、側端部に指を掛けて第１パネルを持ち上げることができるので、作業性がよい。
【００３７】
本発明の第１０観点に係る冷凍装置の室外ユニットでは、引っ掛け部が第１パネルの位置決めとして機能するので、誤組みが防止される。
【００３８】
本発明の第１１観点に係る冷凍装置の室外ユニットでは、異なるパネルであっても、形状が類似する場合に誤組みの虞があるので、組み込み時の位置決めとなる引っ掛け部の配置、例えば間隔を異ならせて、誤組みを防止する。
【図面の簡単な説明】
【００３９】
【図１】本発明の一実施形態に係る室外ユニットを含む冷凍装置の構成図。
【図２】室外ユニットの前板および右側板が見える角度から視たときの当該室外ユニットの斜視図。
【図３】室外ユニットの左側板、後板および上部ステーが見える角度から視たときの当該室外ユニットの斜視図。
【図４】前板の第１パネル及び第２パネルの斜視図。
【図５】傾斜部の拡大斜視図。
【図６】前板の上部を内側から視た斜視図。
【図７】前板の上部が位置決めされるケーシングの上部の斜視図。
【図８Ａ】第１パネルが固定された第１支柱の斜視図。
【図８Ｂ】図８Ａの第１支柱を水平面で切断したときの第１パネル及び第１支柱の部分断面図。
【図９】ケーシングから第１パネルを取り外したときの室外ユニットの斜視図。
【図１０】室外熱交換器の形状と前板の形状との関係を示す表。
【発明を実施するための形態】
【００４０】
以下図面を参照しながら、本発明の実施形態について説明する。なお、以下の実施形態は、本発明の具体例であって、本発明の技術的範囲を限定するものではない。
【００４１】
（１）冷凍装置１０の構成
ここでは、室外ユニットの説明に先立ち、その室外ユニットを含む冷凍装置の概略構成について説明する。
【００４２】
図１は、本発明の一実施形態に係る室外ユニット１を含む冷凍装置１０の構成図である。図１において、冷凍装置１０は、ビル用のマルチタイプの空気調和装置であって、１つ又は複数の室外ユニット１に対して複数の室内ユニット３が並列に接続されている。
【００４３】
冷凍装置１０の冷媒回路は、主として圧縮機１１、四路切換弁１２、室外熱交換器１３、室外膨張弁１４、室内膨張弁１５、室内熱交換器１６が順に接続されたものであり、蒸気圧縮式の冷凍サイクルとなっている。
【００４４】
圧縮機１１、四路切換弁１２、室外熱交換器１３および室外膨張弁１４は室外ユニット１に含まれており、室内膨張弁１５および室内熱交換器１６は室内ユニット３に含まれている。
【００４５】
また、四路切換弁１２と室内熱交換器１６との間はガス側冷媒連絡配管１７ａにより接続され、室外膨張弁１４と室内膨張弁１５との間は液側冷媒連絡配管１７ｂにより接続される。
【００４６】
冷媒連絡配管１７ａ、１７ｂは、室外ユニット１と室内ユニット３との間に配置される。また、室外ユニット１内には、アキュムレータやその他の付属機器も設けられているが、ここでは図示を省略している。
【００４７】
室外ユニット１の内部冷媒回路の端末部には、ガス側閉鎖弁１８と液側閉鎖弁１９とが設けられている。ガス側閉鎖弁１８は四路切換弁１２側に配置されており、液側閉鎖弁１９は室外膨張弁１４側に配置されている。ガス側閉鎖弁１８にはガス側冷媒連絡配管１７ａが接続され、液側閉鎖弁１９には液側冷媒連絡配管１７ｂが接続される。これらの閉鎖弁１８，１９は、室外ユニット１や室内ユニット３を設置するときには閉状態にされている。そして、閉鎖弁１８、１９は、各ユニット１、３を現地に設置しガス側冷媒連絡配管１７ａおよび液側冷媒連絡配管１７ｂを閉鎖弁１８，１９に接続した後に開状態とされる。
【００４８】
図１に示す冷凍装置１０の冷媒回路は、実際の回路を簡略化したものである。例えば、実際の圧縮機１１は、インバータによる回転数制御を行う容量可変のインバータ圧縮機と、オンオフ制御がなされる定容量の定容量圧縮機とが組み合わされて用いられるものが多い。
【００４９】
また、室外ユニット１には、室外熱交換器１３に空気を当てて冷媒と空気との熱交換を促進させる室外ファン５が設けられている。
【００５０】
（２）冷凍装置１０の動作
次に、この冷凍装置１０の運転動作について説明する。
【００５１】
まず、冷房運転時は、四路切換弁１２が図１において実線で示す状態に保持される。圧縮機１１から吐出された高温高圧のガス冷媒は、四路切換弁１２を介して室外熱交換器１３に流入し、室外空気と熱交換して凝縮・液化する。液化した冷媒は、全開状態の室外膨張弁１４を通過し、液側冷媒連絡配管１７ｂを通って各室内ユニット３に流入する。室内ユニット３において、冷媒は、室内膨張弁１５で所定の低圧に減圧され、さらに室内熱交換器１６で室内空気と熱交換して蒸発する。そして、冷媒の蒸発によって冷却された室内空気は、室内ファン９によって室内へと吹き出され、室内を冷房する。また、室内熱交換器１６で蒸発して気化した冷媒は、ガス側冷媒連絡配管１７ａを通って室外ユニット１に戻り、圧縮機１１に吸い込まれる。
【００５２】
一方、暖房運転時は、四路切換弁１２が図１において破線で示す状態に保持される。圧縮機１１から吐出された高温高圧のガス冷媒は、四路切換弁１２を介して各室内ユニット３の室内熱交換器１６に流入し、室内空気と熱交換して凝縮・液化する。冷媒の凝縮によって加熱された室内空気は、室内ファンによって室内へと吹き出され、室内を暖房する。室内熱交換器１６において液化した冷媒は、全開状態の室内膨張弁１５から液側冷媒連絡配管１７ｂを通って室外ユニット１に戻る。室外ユニット１に戻った冷媒は、室外膨張弁１４で所定の低圧に減圧され、さらに室外熱交換器１３で室外空気と熱交換して蒸発する。そして、室外熱交換器１３で蒸発して気化した冷媒は、四路切換弁１２を介して圧縮機１１に吸い込まれる。
【００５３】
なお、冷房運転時および暖房運転時のいずれの場合においても、停止中の室内ユニット３の室内膨張弁１５は概ね閉状態になっており、その室内ユニット３の室内熱交換器１６には冷媒がほとんど流れない。
【００５４】
（３）室外ユニットの構成
図２は、室外ユニット１の前板２４および右側板２５が見える角度から視たときの当該室外ユニット１の斜視図である。また、図３は、室外ユニット１の左側板２６、後板２７および上部ステー２８が見える角度から視たときの当該室外ユニットの斜視図である。
【００５５】
図２及び図３において、ケーシング２は、前板２４、右側板２５、左側板２６、後板２７、上部ステー２８、底板２９によって、ほぼ直方体形状に形成されている。
【００５６】
本実施形態では、室外熱交換器１３は、右側板２５、左側板２６、後板２７に沿うように配置されている。
【００５７】
前板２４は、第１パネル２４ａ及び第２パネル２４ｂから成り、ケーシング２に位置決めされた後、右側板２５、左側板２６にネジ締結によって固定されている。なお、前板２４の詳細構造については、後半で説明する。
【００５８】
右側板２５及び左側板２６の室外熱交換器１３と対峙する領域は、空気導入用として開口している。
【００５９】
後板２７は、右側板２５、左側板２６にネジ締結によって固定されている。後板２７の室外熱交換器１３と対峙する領域は、空気導入用として開口している。
【００６０】
上部ステー２８は、右側板２５及び左側板２６とで天板構造を形成している。また、ケーシング２の上部に、ファン５が回転自在に配置されている。ファン５の周囲は、ベルマウス５ａによって囲まれている。上部ステー２８の上側には、開口を覆うように、格子状に形成された軟鋼線のファンカバー２８ａが装着されている。ファン５は、その下方に配置されたファンモータ（図示せず）により回転駆動される。
【００６１】
（４）前板２４の詳細構造
前板２４を正面に視たとき（以後、正面視という。）、図２に示すように、第１パネル２４ａと第２パネル２４ｂは、正面視で左右方向に並べてケーシング２に装着され、互いに隣接する領域の一部が厚み方向に重ねて配置されている。
【００６２】
（４−１）第１パネル２４ａ
第１パネル２４ａは、前板２４の正面視右側部分を構成している。第１パネル２４ａは、第１領域２４ａａと第２領域２４ａｂとを有している。第１領域２４ａａは第２領域２４ａｂより上方に位置している。また、第１領域２４ａａにおける横幅は、第２領域２４ａｂにおける横幅よりも大きく形成されている。
【００６３】
図４は、第１パネル４２ａ及び第２パネル４２ｂの斜視図である。図４において、第１領域２４ａａは、第１パネル２４ａの下端から第１パネル２４ａの全長Ｌの約４５％に相当する高さ位置よりも上側を占めている。
【００６４】
そして、第１パネル２４ａの下端から第１パネル２４ａの全長Ｌの約５６％に相当する高さ位置から下方は、横幅が徐々に第２領域２４ａｂの横幅に近づくように、高さ位置が下方になるほど横幅が狭くなっている。この部分（図４の網掛け表示部分）を、第１領域２４ａａの移行領域２４ａｃとよぶ。
【００６５】
移行領域２４ａｃは、正面視で左端が右端に近づくように傾斜しているので、高さ位置が下方になるほど横幅が狭くなっている。それゆえ、移行領域２４ａｃの左端は、傾斜部２４１となっている。
【００６６】
傾斜部２４１は、第１パネル２４ａの中央より下方領域、若しくは中央より上方領域に位置し、サービスパーソンが手で下から持ち上げ易い場所であるので、第１パネル２４ａをケーシング２から取り外す際の「取っ手」として機能する。
【００６７】
図５は、傾斜部２４１の拡大斜視図である。図５において、傾斜部２４１では、移行領域２４ａｃの左端が奥行き方向（板厚方向）に曲げ加工されている。それゆえ、傾斜部２４１は、斜め下方を向く傾斜面２４１ａを有する。
【００６８】
もちろん、曲げ加工をせずに移行領域２４ａｃの左端面を傾斜面としてもよい。しかしながら、サービスパーソンが傾斜部２４１を「取っ手」として利用して第１パネル２４ａを持ち上げる際に、傾斜部２４１の面積が大きい方が手に係る圧力が小さくなり、圧迫感が軽減されるので、移行領域２４ａｃの左端が奥行き方向（板厚方向）に曲げ加工されることが好ましい。
【００６９】
傾斜部２４１を除いて、第１パネル２４ａの左端部は、図４に示すように奥行き方向に曲げ加工された後、左方向に曲げ加工され、Ｌ字状を成している。このＬ字状の左方向に延びる部分を第１フランジ２４３という。
【００７０】
また、傾斜部２４１の縁と第１フランジ２４３とは同一平面上になく、図５に示すように高さｓの段差が設けられている。
【００７１】
（４−２）第２パネル２４ｂ
図２に示すように、第２パネル２４ｂは、前板２４の正面視左側部分を構成している。第２パネル２４ｂは、第１領域２４ｂａと第２領域２４ｂｂとを有している。第１領域２４ｂａは第２領域２４ｂｂより上方に位置している。
【００７２】
また、図４に示すように、第２パネル２４ｂの右端形状は、第１パネル２４ａの左端形状に沿って形成されているので、第１領域２４ｂａにおける横幅は、第２領域２４ｂｂにおける横幅よりも小さく形成されている。
【００７３】
その結果、第１領域２４ｂａは、第２パネル２４ｂの下端から第２パネル２４ｂの全長の約５６％に相当する高さ位置から上側を占めている。
【００７４】
そして、第２パネル２４ｂの下端から第２パネル２４ｂの全長Ｌの約５０％に相当する高さ位置から、正面視で右端が左端から遠ざかるように下方傾斜することによって、高さ位置が下方になるほど横幅が広くなっている。この傾斜する部分が、第１パネル２４ａの傾斜部２４１と対向する傾斜部２４２である。
【００７５】
第２パネル２４ｂの右端部は、図４に示すように奥行き方向に曲げ加工された後、右方向に曲げ加工され、Ｌ字状を成している。このＬ字状の右方向に延びる部分を第２フランジ２４４という。
【００７６】
（４−３）第１パネル２４ａと第２パネル２４ｂの重なり領域
第２パネル２４ｂは、第１パネル２４ａよりも先にケーシング２に取り付けられる。そして、第１パネル２４ａが取り付けられる際には、第２パネル２４ｂの第２フランジ２４４が奥側に、第１パネル２４ａの第１フランジ２４３が手前側になるように、両者は板厚方向に重ねられる。この重なった領域を重なり領域２４０という。
【００７７】
重なり領域２４０は、前板２４の上端から鉛直下方に延び、途中、滑らかに右斜め下方へ降下した後、滑らかに鉛直下方へ延びている。
【００７８】
図５に示すように、傾斜部２４１に対応する部分では、元々、第１パネル２４ａ側にフランジが形成されていないので、第２フランジ２４４と第１フランジ２４３との間に第１フランジ２４３の板厚ｔの段差ができる。
【００７９】
さらに、図５に示すように、傾斜部２４１の縁２４１ｂと第１フランジ２４３の正面側平面２４３ａとは同一平面上にはなく、高さｓの段差がある。それゆえ、第１フランジ２４３と第２フランジ２４４との重なり面を含む平面を基準面とした場合、傾斜部２４１の縁２４１ｂとその基準面との間には大きさ「ｓ＋ｔ」の隙間が形成される。
【００８０】
この隙間「ｓ＋ｔ」は、サービスパーソンが傾斜部２４１を「取っ手」として利用する際に、指を差し入れるための隙間として機能する。本実施形態では、板厚ｔ＝０．８ｍｍ、段差高さｓ＝２ｍｍであるので、隙間「ｓ＋ｔ」＝２．８ｍｍである。
【００８１】
（４−４）第１パネル２４ａ及び第２パネル２４ｂの位置決め
図６は、前板２４の上部を内側から視た斜視図である。また、図７は、図６の前板２４の上部が位置決めされるケーシング２の上部の斜視図である。
【００８２】
図６において、第１パネル２４ａの上端部は奥行き方向に曲げられている。その上端部の端面のうち所定の２箇所から鉛直下方に第１爪２０１が突出している。第２パネル２４ｂも、同様に、上端部が奥行き方向に曲げられている。その上端部の端面のうち所定の２箇所から鉛直下方に第２爪２０２が突出している。第１パネル２４ａの２つの第１爪２０１の間隔と、第２パネル２４ｂの２つの第２爪２０２との間隔とは異なっている。
【００８３】
図７において、ケーシング２の前面上端部に、前方に向かって突出する４つの切り起こし部２１０が形成されている。各切り起こし部２１０には、上記爪が嵌合する孔２１０ａがあけられている。
【００８４】
図７の手前側の端がケーシング２の正面視右端となるので、図７の手前側から２つ目までの切り起こし部２１０が、第１パネル２４ａの第１爪２０１と対応する。なお、図７の手前側から２つ目までの切り起こし部２１０を第１切り起こし部２１１という。
【００８５】
また、図７の奥側の端がケーシング２の正面視左端となるので、図７の奥側から２つ目までの切り起こし部２１０が、第２パネル２４ｂの第２爪２０２と対応する。なお、図７の奥側から２つ目までの切り起こし部２１０を第２切り起こし部２１２という。
【００８６】
２つの第１切り起こし部２１１の孔２１１ａの間隔は２つの第１爪２０１の間隔と同じであり、２つの第２切り起こし部２１２の孔２１２ａの間隔は２つの第２爪２０２との間隔と同じである。
【００８７】
したがって、第１パネル２４ａの２つの第１爪２０１は、必ず、ケーシング２の２つの第１切り起こし部２１１の孔２１１ａによって位置決めされる。同様に、第２パネル２４ｂの２つの第２爪２０２は、必ず、ケーシング２の２つの第２切り起こし部２１２の孔２１２ａによって位置決めされる。
【００８８】
（５）第１パネル２４ａと支柱５１との位置関係
図２及び図３に示すように、ケーシング２の鉛直方向に伸びる４つのコーナーには、それぞれ支柱５１，５２，５３，５４が設けられ、ケーシング２を支持している。支柱５１，５２，５３，５４は鈑金を曲げ加工することによって形成されている。
【００８９】
本実施形態では、前板２４側から見て、前方右側の支柱を第１支柱５１、前方左側の支柱を第２支柱５２、後方右側の支柱を第３支柱５３、後方左側の支柱を第４支柱５４と呼ぶ。
【００９０】
第１支柱５１と第４支柱５４とは同一形状であり、第２支柱５２と第３支柱５３とは同一形状であり、第１支柱５１と第２支柱５２とは線対称形状である。以下、第１支柱５１を例にして、支柱の形状について説明する。
【００９１】
図８Ａは、第１パネル２４ａが固定された第１支柱５１の斜視図である。また、図８Ｂは、図８Ａの第１支柱５１を水平面で切断したときの第１パネル２４ａ及び第１支柱５１の部分断面図である。
【００９２】
図８Ａ及び図８Ｂにおいて、第１支柱５１は、長手方向（鉛直方向）に延びる８つの鉛直面を有する。８つの鉛直面の中に、主要な働きをする固定面５１ａ、コーナー面５１ｂ及び外郭面５１ｃが含まれている。
【００９３】
固定面５１ａは、第１パネル２４ａと対向するように配置され、且つ第１パネル２４ａが固定される。
【００９４】
コーナー面５１ｂは、固定面５１ａに隣接し、且つ固定面５１ａに対して４５°の角度で交差する。図８Ａ及び図８Ｂに示すように、第１パネル２４ａの端部２４５には、奥行き方向に延びる側端２４７が形成されているので、コーナー面５１ｂは、第１パネル２４ａの端部２４５が固定面５１ａに固定されたときに、コーナー面５１ｂと第１パネル２４ａの側端２４７との隙間Ｇを確保する機能がある。隙間Ｇは、サービスパーソンが第１パネル２４ａを掴む際に、指が挿入される。本実施形態では、隙間Ｇを４ｍｍ程度に設定している。
【００９５】
外郭面５１ｃは、コーナー面５１ｂに隣接し、且つ固定面５１ａとは９０°の角度を成している。本実施形態では、図２正面視において、第１パネル２４ａの端が外郭面５１ｃと同一面上に位置するように、第１パネル２４ａが固定されている。もちろん、第１パネル２４ａの端が外郭面５１ｃよりも横側に出てもよい。
【００９６】
また、第１支柱５１は、固定面５１ａ、コーナー面５１ｂ及び外郭面５１ｃの上端が内側に向かって９０°折り曲げられて形成された水平面５１ｄも有している。水平面５１ｄには、ケーシング２の上部に配置されるファン５及びベルマウス５ａなどの組立品が載置される。また、水平面５１ｄには、当該組立品が載置される際の位置決めとなる、突起５１ｅが設けられている。
【００９７】
（６）第１パネル２４ａと電装品ボックス６との位置関係
図９は、ケーシング２から第１パネル２４ａを取り外したときの室外ユニット１の斜視図である。図９において、ケーシング２内で、且つ前板２４寄りの位置には、電装品ボックス６が配置されている。電装品ボックス６は、内部に、冷凍装置１０の動作を制御する制御基板を備えている。
【００９８】
図９に示すように、電装品ボックス６の横幅は、第１パネル２４ａの第２領域２４ａｂの横幅以下であり、第１パネル２４ａを取り外すだけで電装品ボックス６が正面に露出する。それゆえ、サービスパーソンは、室外ユニット１の据付後の初期設定、又はメンテンナスの際に、第２パネル２４ｂを取り外すことなく第１パネル２４ａを取り外すだけで、電装品ボックス６へのアクセスすることができ、作業が容易になる。
【００９９】
（７）特徴
（７−１）
室外ユニット１では、前板２４が第１パネル２４ａと第２パネル２４ｂとに分割されているので、初期設定あるいはメンテナンスを行うサービスパーソンが電装品ボックス６にアクセスする際に、第２パネル２４ｂがケーシング２の当初位置に取り付けられた状態のまま、ケーシング２から第１パネル２４ａだけを取り外すことができる。その結果、第１パネル２４ａが取り外された状態のみで、電装品ボックス６にアクセスすることができる。また、従来は複数枚のパネルを取り外す構成であったため、各パネルの重量は軽減されていたが総重量は増大しており、パネル単品数量も増加していたので、サービスパーソンは複雑な取り外し方法を余儀なくされていた。しかし、この室外ユニット１では、そのような複雑な取り外し方法は必要なく、作業時間が短縮され、作業効率が向上する。
【０１００】
（７−２）
第１パネル２４ａの正面視左端の中央近傍には、斜め下方を向く傾斜部２４１が存在するので、サービスパーソンがケーシング２から第１パネル２４ａを取り外す際に、傾斜部２４１に指を掛けて持ち上げることができ、作業性がよくなる。
【０１０１】
（７−３）
サービスパーソンがケーシング２から第１パネル２４ａを取り外す際に、第１パネル２４ａと第２パネル２４ｂとの重なっていない部分の隙間「ｓ＋ｔ」に、指を差し入れて持ち上げることができるので、作業性がよい。
【０１０２】
（７−４）
第１パネル２４ａの側端２４７と第１支柱５１の外郭面５１ｃとが同一平面上に配置されることによって、サービスパーソンが第１パネル２４ａの側端２４７を掴むことができるようになり、ケーシング２からの第１パネル２４ａの取り外しが容易になる。なお、必ずしも、第１パネル２４ａの側端２４７と第１支柱５１の外郭面５１ｃとが同一平面上に配置される必要はなく、外郭面５１ｃより外側になってもよい。
【０１０３】
（７−５）
第１パネル２４ａの側端２４７と第１支柱５１との間に、第１パネル２４ａの側端２４７の端面に指を掛ける隙間が確保されているので、サービスパーソンが第１パネル２４ａをケーシング２から取り外す際に、サービスパーソンがその隙間の指を差し入れることができ、第１パネル２４ａの側端２４７を掴みやすくなる。
【０１０４】
（７−６）
第１パネル２４ａの２つの第１爪２０１と、ケーシング２の２つの第１切り起こし部２１１とが、ケーシング２に対する第１パネル２４ａの位置決めとして機能するので、誤組みが防止される。
【０１０５】
（８）変形例
図１０は、室外熱交換器１３の形状と前板２４の形状との関係を示す表である。図１０において、左欄には、本実施形態において採用されている室外熱交換器１３の平面図と前板２４の正面図を記載している。中央欄には、第１変形例において採用されている室外熱交換器１３’の平面図と前板２４の正面図を記載している。右欄には、第２変形例において採用されている室外熱交換器１３の平面図と前板２４の正面図を記載している。
【０１０６】
（８−１）第１変形例
図１０の中欄に示すように、第１変形例では、室外熱交換器１３’は本実施形態の室外熱交換器１３より横幅方向に長く、ケーシング２の横幅もその分だけ大きくなるので、第１パネル２４ａの左側に補助パネル２４ｄが取り付けられる。
【０１０７】
補助パネル２４ｄは、高さ方向の全長は第１パネル２４ａの高さ方向の全長の概ね３０％程度であり、補助パネル２４ｄの下方は開口となり、室外熱交換器１３’が露出している。
【０１０８】
サービスパーソンは、電装品ボックス６にアクセスするために、右手で補助パネル２４ｄより下方で第１パネル２４ａの右端を掴み、左手で第１パネル２４ａの傾斜部２４１を掴んで、第１パネル２４ａをケーシング２から取り外すことができる。
【０１０９】
（８−２）第２変形例
図１０の右欄に示すように、第２変形例では、左右でサイズが異なる（左側の室外熱交換器１３’’が右側の室外熱交換器１３より小さい）２つの室外熱交換器が横方向に並べて配置されるので、ケーシング２の横幅も上記実施形態のケーシングの横幅の２倍程度まで大きくなる。それゆえ、さらにもう一つの第２パネル２４ｂと、第１パネル２４ａに形状が類似する第３パネル２４ｃとが必要となる。
【０１１０】
第１パネル２４ａは、正面視右側に配置されているので、第１パネル２４ａの右端を掴む際に邪魔になるものはない。それゆえ、サービスパーソンは、電装品ボックス６にアクセスするために、右手で第１パネル２４ａの右端を高さ位置に制限なく掴み、左手で第１パネル２４ａの傾斜部２４１を掴んで、第１パネル２４ａをケーシング２から取り外すことができる。
【０１１１】
また、仮に、第１パネル２４ａ、第２パネル２４ｂ及び第３パネル２４ｃをケーシング２から取り外した場合において、再度、第１パネル２４ａ、第２パネル２４ｂ及び第３パネル２４ｃをケーシング２に取り付ける際、図６及び図７で示すような、他のパネルとは配置のことなる、第１パネル２４ａの２つの第１爪２０１と、ケーシング２の２つの第１切り起こし部２１１の孔２１１ａとによって位置決めされるので、第１パネル２４ａの正規位置に誤って第２パネル２４ｂ及び第３パネル２４ｃを取り付けることはない。
【産業上の利用可能性】
【０１１２】
本発明は、前板の一部である第１パネルを外すだけで、電装品ボックスにアクセスすることができ、サービスパーソンの作業負担が軽減されるので、広く室外ユニットに有用である。
【符号の説明】
【０１１３】
１          室外ユニット
２          ケーシング
５          ファン
６          電装品ボックス（電装部）
１０        冷凍装置
２４        前板（パネル）
２４ａ      第１パネル
２４ｂ      第２パネル
２０１      第１爪（引っ掛け部）
２０２      第２爪（引っ掛け部）
２４１      傾斜部
２４１ａ    傾斜面（平面部）
２４７      側端（側端部）
５１        第１支柱（支柱）
５１ｃ      外郭面
【先行技術文献】
【特許文献】
【０１１４】
【特許文献１】特開２００７―２６３３８６号公報
【図１】
2019027698.tif 000003
【図２】
2019027698.tif 000004
【図３】
2019027698.tif 000005
【図４】
2019027698.tif 000006
【図５】
2019027698.tif 000007
【図６】
2019027698.tif 000008
【図７】
2019027698.tif 000009
【図８Ａ】
2019027698.tif 000010
【図８Ｂ】
2019027698.tif 000011
【図９】
2019027698.tif 000012
【図１０】
2019027698.tif 000013